(57)【要約】      （修正有）【課題】ＣＥＣ信号を受信したときに瞬時にＨＤＭＩ信号処理部を動作させることが可能な電子機器を提供する。【解決手段】前記電源部が生成するスタンバイ電圧の出力ラインと前記信号処理集積回路との間に接続されたスイッチ手段を備え、制御信号が入力されたときにのみ、信号処理集積回路に電力を供給する。また、信号処理集積回路の内部に制御信号の入出力分離回路を備える。【選択図】図３
2009123284.tif 000002
【特許請求の範囲】
【請求項１】
スタンバイ電圧とパワーオン電圧を電圧出力ラインを介して動作部に出力する電源部と、前記電源部の出力電圧を設定するサブＣＰＵと、パワーオンコマンドとパワーオフコマンドを受けとるインターフェースと、電源部と電圧出力ラインで接続されると共に映像／音声ソースを処理するための信号処理集積回路と、外部に接続された電子機器に前記信号処理集積回路によって処理された映像／音声信号を出力すると共に前記外部に接続された電子機器がパワーオンしたことを検出するためのパワーオン検出端子および前記外部に接続された電子機器と相互に制御信号を入出力するための入出力端子を有する接続端子とからなり、前記サブＣＰＵは、前記外部に接続された電子機器に制御信号を出力するための出力端子と前記外部に接続された電子機器からの制御信号を入力するための入力端子とを有する電子機器において、
前記電源部が生成するスタンバイ電圧の電圧出力ラインと前記信号処理集積回路との間にはスイッチ手段が設けられ、前記サブＣＰＵは、前記インターフェースがパワーオンコマンドを受け取るまでは、スタンバイ電圧を生成するよう前記電源部を設定し、前記インターフェースがパワーオンコマンドを受け取ったときには、パワーオン電圧を生成するよう前記電源部を設定し、前記信号処理集積回路は、前記制御信号の入出力分離回路を備え、前記入出力分離回路は、前記外部に接続された電子機器から出力される制御信号を受信し、該入出力分離回路で分離した前記制御信号を前記サブＣＰＵに出力し、前記サブＣＰＵは前記制御信号を受けとるとパワーオン電圧を生成するよう前記電源部を設定し、前記検出端子から前記外部に接続された電子機器がパワーオンしたことを検知したときには、前記スイッチ手段をオンして前記信号処理集積回路に電力を供給することを特徴とする電子機器。
【請求項２】
前記信号処理集積回路は、映像／音声ソースをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した信号に変換する請求項１に記載の電子機器。
【請求項３】
前記接続端子は、ＨＤＭＩ規格に準拠した映像／音声信号出力端子、ホットプラグ端子およびＣＥＣ（Ｃｏｎｓｕｍｅｒ  Ｅｌｅｃｔｒｏｎｉｃｓ  Ｃｏｎｓｕｍｅｒ）入出力端子を有する請求項１乃至２に記載の電子機器。
【発明の詳細な説明】
【技術分野】
【０００１】
本発明は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格などにより、外部に接続された電子機器を制御可能な電子機器に関し、特に外部に接続された電子機器の状態を検知するとともに外部に接続された電子機器からの制御信号に従って、スタンバイ状態およびパワーオン状態の電源制御を行うことで省電力化を実現する電子機器に関する。
【背景技術】
【０００２】
従来から、環境問題への配慮から、電気製品の消費電力を抑える技術が検討されている。それら技術の中で、電気製品のすべての機能が動作可能であるパワーオン状態と、パワーオン指令を待っているスタンバイ状態とで電源の出力電圧を制御して、電気製品の動作状態に従って必要なだけの電力を供給することで低消費電力化を実現する技術が一般的に用いられている。更には、電気製品の全般的な動作制御を行なうＣＰＵ（Ｃｅｎｔｒａｌ  Ｐｒｏｃｅｓｓｉｎｇ  Ｕｎｉｔ）とは別に、ユーザからのパワーオン信号のみを受信して電源を制御するサブＣＰＵを設け、スタンバイ状態においてはこのサブＣＰＵが動作する電力のみを供給して、スタンバイ時の消費電力を抑制する技術も広く用いられている。
【０００３】
一方、近年では、複数の電子機器が接続された映像音声再生システムにおいて、接続されたケーブルを介して一つの電子機器からそれに接続された複数の電子機器を制御するための技術が規格化されている。その規格の一つに、ＨＤＭＩ規格がある。このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（Ｕｎｉｖｅｒｓａｌ  Ｓｅｒｉａｌ  Ｂｕｓ）並みの小型のＨＤＭＩ端子で接続することが可能であること等々、種々の規定が盛り込まれている。
【０００４】
また、ＨＤＭＩ規格は、映像信号と音声信号だけではなく、ＨＤＭＩ端子で接続された互いの機器同士で通信するための信号を扱うことが可能である。現在電源がオンされているかどうかの情報を出力するためのホットプラグ端子や、電源情報以外の機器の状態を出力するためや、一方の機器で他方の機器を制御するための信号を送るためのＣＥＣ（Ｃｏｎｓｕｍｅｒ  Ｅｌｅｃｔｒｏｎｉｃｓ  Ｃｏｎｔｒｏｌ）端子がある。このＣＥＣ端子は、電子機器間の電源制御などのコマンドを送受信するための端子であり、再生、早送り、スキップ、停止などの基本動作コマンドについては、異なる電子機器メーカーの製品間でも制御が可能となるように、ＨＤＭＩ規格によって標準として定義されている。さらにＨＤＭＩ規格には、各電子機器メーカーが自由に定義できる拡張エリアが規格されており、制御プログラムを拡張することにより、各電子機器メーカー特有の制御コマンドで制御することが可能となる。
【０００５】
このＨＤＭＩ規格に従って、接続された電子機器間で映像／音声信号の入出力を行ったり、またＣＥＣ信号による電子機器間相互の制御を行うために、ＨＤＭＩ信号処理部が必要となる。また、外部に接続された電子機器からのＣＥＣ信号を受信し、そのＣＥＣ信号に従って動作を行なうためには、スタンバイ状態またはパワーオン状態の電子機器の動作状態に関わらず、ＣＥＣ信号を受信したときには、ＨＤＭＩ信号処理部は動作が出来なければならない。ＨＤＭＩ信号処理部がいつでも動作可能となるように、スタンバイ状態とパワーオン状態の両方の状態において、ＨＤＭＩ信号処理部に電力を供給することは、ＣＥＣ信号による制御が不要な状態においても常にＨＤＭＩ信号処理部において電力が消費されることとなり、電子機器の低消費電力化を阻害することとなる。
【０００６】
ＣＥＣ信号による制御を常時行うことが可能であり、かつ低消費電力を実現するための従来技術におけるブロック図を図４に示す。電源部４０１は、電子機器の動作に必要となる電圧を生成し、サブＣＰＵ４０２は、リモコン４０３を介してユーザから入力されるパワーオンまたはパワーオフコマンドに従って、電源部４０１のパワーオン状態およびスタンバイ状態を制御する。スタンバイ状態において電源部４０１は、ＥＶＥＲ３．３Ｖのみを出力し、ＥＶＥＲ３．３ＶはサブＣＰＵ４０２に供給され、サブＣＰＵ４０２は常に電源部４０１をパワーオンに設定するためにユーザからのコマンドを監視する。ＨＤＭＩ接続端子４０４には、図示しないＨＤＭＩケーブルによって、外部に電子機器が接続されており、ＨＤＭＩ接続端子４０４のホットプラグ端子４０５は、外部に接続された電子機器がパワーオンした場合に、５Ｖの電圧が出力されるようにＨＤＭＩ規格で定義されている。また、ＨＤＭＩ接続端子４０４のＣＥＣ入出力端子４０６は、電子機器と外部に接続された電子機器との間でＣＥＣ信号を入出力するための端子であり、外部に接続された電子機器がパワーオンした場合には、パワーオンと同時に電子機器をパワーオンするためのコマンドが、外部に接続された電子機器から出力されるように、ＣＥＣの制御プログラムを拡張して設計されることが一般的である。
【０００７】
次いで、ＨＤＭＩ接続端子４０４のＣＥＣ入出力端子４０６によって、パワーオン指令を表すＣＥＣ信号を受信する。受信したＣＥＣ信号は、入出力分離回路４０７に入力され、サブＣＰＵ４０２のＣＥＣ入力端子４１４で受信される。入出力分離回路４０７は、ＨＤＭＩ接続端子４０４のＣＥＣ入出力端子４０６の入出力信号を入力信号と出力信号にそれぞれ分離するための回路であり、Ｔ４０１〜Ｔ４０４の４つのトランジスタと複数の抵抗やコンデンサで構成される。サブＣＰＵ４０２は、ＣＥＣ入力端子４１４からをＣＥＣ信号を受け取ると、電源部４０１に対してパワーオン信号を出力し、電源部４０１はパワーオン３．３Ｖを出力する。ＨＤＭＩ信号処理集積回路４０９に対する電力供給は、パワーオン３．３Ｖから供給されている。
【０００８】
一方、ホットプラグ端子４０５に５Ｖが出力されると、トランジスタＴ４０５がオンし、ＨＤＭＩ信号処理集積回路４０９のホットプラグ検出端子１２にＥＶＥＲ３．３Ｖが印加される。ＨＤＭＩ信号処理集積回路４０９は、パワーオン３．３Ｖが供給され、ホットプラグ検出端子４１２で信号が検出されると動作を開始し、映像／音声信号をＨＤＭＩ規格に準拠したデータに変換して映像／音声データ出力端子４１５から出力し、ＨＤＭＩ接続端子４０４の映像／音声データ出力端子４１３から外部に接続された電子機器に対して出力される。サブＣＰＵ４０２のＣＥＣ出力端子４１６からは、外部に接続された電子機器の制御を行うためのＣＥＣ信号を出力する。出力されたＣＥＣ信号は、入出力分離回路４０７に入力されて、ＨＤＭＩ接続端子４０４のＣＥＣ入出力端子４０６から外部に接続された電子機器に出力される。
【０００９】
このように、外部に接続された電子機器からのＣＥＣ信号を受信したときにサブＣＰＵ４０２が電源部４０１をパワーオンし、パワーオン３．３ＶをＨＤＭＩ信号処理集積回路４０９に供給することで、低消費電力を実現している。すなわち、サブＣＰＵ４０２が電源部４０１のパワーオンオフを制御していることを利用して、スタンバイ状態でＣＥＣ信号を受信したときのみ、ＨＤＭＩ信号処理部４０９に電力を供給して、ＨＤＭＩ信号処理部４０９へ電力を供給するケースを制限している。
【発明の開示】
【発明が解決しようとする課題】
【００１０】
従来技術においては、ＣＥＣ信号の入出力分離回路を複数のトランジスタで構成していたため、トランジスタそれぞれの特性のバラツキを考慮して設計を行う必要が有り、そのためにバラツキの小さなトランジスタを用いる必要があるため、部品コストが増大していた
。また、サブＣＰＵを利用してＨＤＭＩ信号処理部への電力供給を行っていたため、ＨＤＭＩ信号処理部へ電力を供給するまでに時間がかかり、ＨＤＭＩ信号処理部が動作するまでにタイムラグが発生するという課題が残っていた。
【００１１】
本発明はこのような課題に鑑みなされたものであり、ＣＥＣ信号の入出力分離回路の製造コストを下げ、かつ品質を向上し、ＣＥＣ信号を受信したときには瞬時にＨＤＭＩ信号処理部を動作させることが可能な電子機器を提供することを目的とする。
【課題を解決するための手段】
【００１２】
前記の目的を達成するために、電子機器において、スタンバイ電圧とパワーオン電圧を電圧出力ラインを介して動作部に出力する電源部と、前記電源部の出力電圧を設定するサブＣＰＵと、パワーオンコマンドとパワーオフコマンドを受けとるインターフェースと、電源部と電圧出力ラインで接続されると共に映像／音声ソースを処理するための信号処理集積回路と、外部に接続された電子機器に前記信号処理集積回路によって処理された映像／音声信号を出力すると共に前記外部に接続された電子機器がパワーオンしたことを検出するためのパワーオン検出端子および前記外部に接続された電子機器と相互に制御信号を入出力するための入出力端子を有する接続端子とからなり、前記サブＣＰＵは、前記外部に接続された電子機器に制御信号を出力するための出力端子と前記外部に接続された電子機器からの制御信号を入力するための入力端子とを有し、前記電源部が生成するスタンバイ電圧の電圧出力ラインと前記信号処理集積回路との間にはスイッチ手段が設けられ、前記サブＣＰＵは、前記インターフェースがパワーオンコマンドを受け取るまでは、スタンバイ電圧を生成するよう前記電源部を設定し、前記インターフェースがパワーオンコマンドを受け取ったときには、パワーオン電圧を生成するよう前記電源部を設定し、前記信号処理集積回路は、前記制御信号の入出力分離回路を備え、前記入出力分離回路は、前記外部に接続された電子機器から出力される制御信号を受信し、該入出力分離回路で分離した前記制御信号を前記サブＣＰＵに出力し、前記サブＣＰＵは前記制御信号を受けとるとパワーオン電圧を生成するよう前記電源部を設定し、前記検出端子から前記外部に接続された電子機器がパワーオンしたことを検知したときには、前記スイッチ手段をオンして前記信号処理集積回路に電力を供給する。
【００１３】
電子機器において、前記信号処理部は、映像／音声ソースをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した信号に変換する。
【００１４】
電子機器において、前記接続端子は、ＨＤＭＩ規格に準拠した映像／音声信号出力端子、ホットプラグ端子およびＣＥＣ（Ｃｏｎｓｕｍｅｒ  Ｅｌｅｃｔｒｏｎｉｃｓ  Ｃｏｎｓｕｍｅｒ）入出力端子を有する。
【００１５】
前記の通り構成することによって、外部に接続された電子機器がパワーオン状態であるときにのみ、ＨＤＭＩ信号処理部に電力を供給し、電子機器の消費電力を抑制するよう作用する。
【発明の効果】
【００１６】
請求項１に記載の発明によれば、電源部が生成するスタンバイ電圧の出力ラインと信号処理部との間に接続されたスイッチ手段を備え、前記スイッチ手段は外部に接続された電子機器がパワーオンしたことを検知したときにのみ、信号処理部にスタンバイ電圧を供給するので、外部に接続された電子機器と相互に制御を行う場合のみ、信号処理部が動作を行なうように電力消費が制限されるので、電子機器の消費電力を抑制することが可能となる。また、外部に接続された電子機器がパワーオンしたことを検出するための検出端子からの出力信号によって、スイッチ手段を直接オンオフすることで、検出端子から信号が出力
されてから、即座に信号処理部に電力を供給することが可能となる。また、従来では複数のトランジスタで構成していた制御信号の入出力分離回路を、信号処理集積回路の内部に集積することで、製造コストを低減することが可能となる。また、従来技術における入出力分離回路においては、複数のトランジスタで構成していたため、トランジスタが有するバラツキもトランジスタの個数分存在し、個々のトランジスタのバラツキが相乗された場合には、入出力回路としての機能である分離機能が誤動作をおこす可能性も有る。これを回避するために、バラツキの小さい品質性能ランクの高いトランジスタを用いなければならず、コストを増大させていた。請求項１に記載の発明では、信号処理集積回路に入出力分離回路を集積することにより、電子機器を設計するに当たって、信号処理集積回路を有する半導体ＩＣの部品１点のバラツキのみを考慮して設計開発または管理すれば良いので、電子機器の開発期間を短縮し、かつ入出力信号を分離する精度を向上することが可能となり、制御信号を誤って判断することを低減することが可能となる。
【００１７】
請求項２に記載の発明によれば、信号処理集積回路を、映像／音声ソースをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した信号に処理集積回路とすることによって、デジタル映像信号のブランキング期間にデジタル音声信号を多重化して音声伝送を行なうことが可能となる。ＨＤＭＩ規格に準拠したＣＥＣを用いて、ＨＤＭＩ規格に準拠した接続端子で接続される機器間で相互に動作状態を検知することが可能となる。また、ＨＤＭＩ規格に準拠した接続端子で接続される機器間で相互に各機器の動作を制御することが可能となる。
【００１８】
請求項３に記載の発明によれば、前記接続端子を、ＨＤＭＩ規格に準拠したＨＤＭＩ接続端子とすることにより、デジタル映像信号をＲＧＢ信号の形態で伝送する他に、ＹＣｂＣｒ信号の形態またはそれより高画質なＹＰｂＰｒ信号の形態で伝送することが可能となる。また、ＵＳＢ（Ｕｎｉｖｅｒｓａｌ  Ｓｅｒｉａｌ  Ｂｕｓ）並みの小型のコネクタで接続することが可能となる。また、ＨＤＭＩ規格に準拠したＣＥＣを用いて、ＨＤＭＩ規格に準拠した接続端子で接続される機器間で相互に動作状態を検知することが可能となる。また、ＨＤＭＩ規格に準拠した接続端子で接続される機器間で相互に各機器の動作を制御することが可能となる。
【発明を実施するための最良の形態】
【００１９】
次に、図を参照しながら本発明の実施形態の説明を行う。図１は本発明に係る光ディスク再生装置とそれに接続されるテレビジョン受信装置のブロック図を表す。以下、この発明の実施の形態について図面を参照して詳細に説明する。この光ディスク再生装置１００は、例えばＤＶＤ等の光ディスク１０１がドライブ部１０２に装着されることにより、その記録データを読み取る。そして、このドライブ部１０２で読み取られたデータは、信号処理部１０３に供給されて、デジタル化処理、エラー訂正処理及び復号化処理等が順次施されて、デジタルの映像信号及び音声信号に復元される。
【００２０】
その後、この信号処理部１０３で復元されたデジタルの映像信号及び音声信号は、ＨＤＭＩ信号処理集積回路１０４に供給されてＨＤＭＩ規格に準拠した形態に変換され、一点鎖線で表されるＤＶＤ  ＨＤＭＩ端子１１１を介して外部に出力される。このＤＶＤ  ＨＤＭＩ端子１１１は、映像データを出力するための映像出力端子１０５、音声データを出力するための音声出力端子１０６、及び外部に接続される機器と相互に制御を行うための制御信号を送受信するための制御入出力端子１０７から構成されている。
【００２１】
この光ディスク再生装置１００は、上記した再生動作を含むその全ての動作をメインＣＰＵ１０８により統括的に制御されている。このメインＣＰＵ１０８は、光ディスク再生装置１００本体に設けられたスイッチ群である操作部１０９からの操作情報を受け、または、遠隔操作可能なリモコン１１０から送出された操作情報を、受光部１１３を介して受信
し、その操作内容が反映されるように各部をそれぞれ制御している。
【００２２】
電源部１１４は、光ディスク装置１００がスタンバイ（待機）状態のときに必要となるスタンバイ電圧と、パワーオン（動作）状態のときに必要となるパワーオン電圧を生成する。また、サブＣＰＵ１１５は、電源部１１４のスタンバイ電圧とパワーオン電圧の切り換え設定を行ない、操作部１０９またはリモコン１１０からのパワーオン信号を監視し、パワーオン信号を受信したときには、電源部１１４が生成する出力電圧を、スタンバイ電圧からパワーオン電圧に昇圧させ、光ディスク再生装置１００をスタンバイ状態からパワーオン状態に移行させる。
【００２３】
スタンバイ電圧は、光ディスク再生装置１００がスタンバイ状態からパワーオン状態に移行するために動作が必要となる回路のみに供給されており、そのように構成することによって、スタンバイ時の消費電力を抑制している。また、サブＣＰＵ１１５にもスタンバイ電圧が供給されており、操作部１０９またはリモコン１１０からのパワーオン信号を常時監視している。
【００２４】
また、メインＣＰＵ１０８は、メモリ部１１２を利用している。このメモリ部１１２は、主として、メインＣＰＵ１０８が実行する制御プログラムを格納したＲＯＭ（Ｒｅａｄ  Ｏｎｌｙ  Ｍｅｍｏｒｙ）と、該ＣＰＵに作業エリアを提供するＲＡＭ（Ｒａｎｄｏｍ  Ａｃｃｅｓｓ  Ｍｅｍｏｒｙ）と、各種の設定情報及び制御情報等が格納される不揮発性メモリとを有している。
【００２５】
ここで、上記映像出力端子１０５、音声出力端子１０６及び制御入出力端子１０７は、それぞれ、ＨＤＭＩ規格に準拠した伝送路を介して、信号の受信装置となる液晶テレビジョン受信装置１２０に設けられた、一点鎖線で表されるＨＤＭＩ端子１３４に接続されている。このＨＤＭＩ端子１３４は、光ディスク装置１００のＨＤＭＩ端子１１１から出力される映像データを受けるための映像入力端子１２１、音声データを受けるための音声入力端子１２２及びテレビジョン受信装置１２０と光ディスク装置１００との間で相互に制御を行うための制御データを送受信するための制御入出力端子１２３で構成されている。
【００２６】
このうち、映像入力端子１２１に供給されたデジタルの映像データは、ＨＤＭＩ信号処理部１２４に供給されてＨＤＭＩ規格に変換される前のデジタル映像信号に戻された後、映像処理部１２５に供給されて表示に対応した形態に変換され、液晶パネル等でなる映像表示部１２６によって映像表示される。
【００２７】
また、上記音声入力端子１２２に供給されたデジタルの音声データは、ＨＤＭＩ信号処理部１２４に供給されて、光ディスク再生装置のＨＤＭＩ信号処理集積回路１０４による変換前のデジタル音声信号に戻された後、音声処理部１２７に供給されて音声再生に対応した形態に増幅され、スピーカ１２８によって音声再生される。
【００２８】
また、テレビジョン受信装置のＣＰＵ１３０は、テレビジョン受信装置１２０本体に設けられたスイッチ群である操作部１３１からの操作情報を受け、または、遠隔操作可能なリモコン１３２から送出された操作情報を、受光部１３３を介して受信し、その操作内容が反映されるように各部をそれぞれ制御している。メモリ部１２９は、主として、ＣＰＵ１３０が実行する制御プログラムを格納したＲＯＭ（Ｒｅａｄ  Ｏｎｌｙ  Ｍｅｍｏｒｙ）と、該ＣＰＵに作業エリアを提供するＲＡＭ（Ｒａｎｄｏｍ  Ａｃｃｅｓｓ  Ｍｅｍｏｒｙ）と、ユーザが任意で行う画質調整値や音量調整値などの各種の設定情報及び制御情報等が格納される不揮発性メモリとを有している。
【００２９】
次に、図２はＨＤＭＩ規格に準拠した接続端子であるＨＤＭＩ端子のピン配置およびそれ
ぞれのピンの信号名を表す。このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（Ｕｎｉｖｅｒｓａｌ  Ｓｅｒｉａｌ  Ｂｕｓ）並みの小型のＨＤＭＩコネクタで接続することが可能であること等々、種々の規定が盛り込まれている。
【００３０】
ＨＤＭＩ端子は、映像信号と音声信号だけではなく、ＨＤＭＩ端子で接続された互いの機器同士で通信するための信号を扱うことが可能である。現在電源がオンされているかどうかの情報を出力するためのホットプラグ端子２０１や、電源情報以外の機器の状態を出力するためや、一方の機器で他方の機器を制御するための信号を送るためのＣＥＣ端子２０２がある。ホットプラグ端子は、外部に接続された電子機器がパワーオンすると５Ｖの電圧を出力するようにＨＤＭＩ規格によって定義されている。また、ＣＥＣ端子は、電子機器間の電源制御などのコマンドを送受信するための端子であり、再生、早送り、スキップ、停止などの基本動作コマンドについては、異なる電子機器メーカーの製品間でも制御が可能となるように、ＨＤＭＩ規格によって標準として定義されている。さらにＨＤＭＩ規格には、各電子機器メーカーが自由に定義できる拡張エリアが規格されており、制御プログラムを拡張することにより、各電子機器メーカー特有の制御コマンドで制御することが可能となる。
【００３１】
次に図３は、本発明に係る電子機器（図１）における主要ブロック図を表す。図３を参照しながら、本発明の実施形態における電子機器の動作を説明する。電源部１１４は、スタンバイ状態には、スタンバイ電圧であるＥＶＥＲ３．３Ｖを出力し、電子機器のすべての動作が可能となるパワーオン状態にはパワーオン電圧であるＰ−ＯＮ３．３Ｖを出力する。
【００３２】
サブＣＰＵ１１５は、リモコン１１０からのパワーオンオフコマンドに従って、電源部１１４の出力電圧であるスタンバイ電圧とパワーオン電圧の設定を行う。また、サブＣＰＵ１１５は、外部に接続された電子機器からのＣＥＣ信号を入力するためのＣＥＣ入力端子３０５と、外部に接続された電子機器を制御するためのＣＥＣ信号を出力するためのＣＥＣ信号出力端子３０６を有する。スタンバイ状態にあるときに、ＨＤＭＩ接続端子３０１のＣＥＣ入出力端子３０３から入力されるＣＥＣ信号を、ＨＤＭＩ信号処理集積回路１０４を介して受け取ったときにも、電源部１１４にパワーオン電圧を出力するよう設定を行う。
【００３３】
ＨＤＭＩ信号集積回路１０４は、図示しない映像／音声ソースから映像／音声信号を受け取り、ＨＤＭＩ規格に準拠した映像／音声データに変換されて、映像／音声データ出力端子３０７から出力する。映像／音声データ出力端子３０７は、図１で説明したとおり、実際には映像データと音声データで別々に出力端子を備えているが、図３においては簡略化のために一つの出力端子としている。また、ＨＤＭＩ信号処理集積回路１０４は、外部に接続された電子機器がパワーオンされたことを表す信号を受け取るためのホットプラグ検出端子３０８を有している。また、外部に接続された電子機器と相互に制御を行うためのＣＥＣ信号を入出力するためのＣＥＣ入出力端子３１４を設けている。また、サブＣＰＵ１１５からのＣＥＣ信号を入力するためのＣＥＣ入力端子３０９と、サブＣＰＵ１１５に対して外部に接続された電子機器から受け取ったＣＥＣ信号を出力するためのＣＥＣ出力端子を有する。また、ＨＤＭＩ信号処理集積回路１０４が動作に必要となる電力を受け取るための電源端子３１１を有する。
【００３４】
ここで、ＨＤＭＩ接続端子３０１が有するＣＥＣ信号入出力端子３０３が入力と出力を兼ねた入出力端子であるのは、ＨＤＭＩ接続端子の小型化をはかるため、またＨＤＭＩ規格
に準拠しているためである。一方、サブＣＰＵ１１５は、ＣＥＣ信号の入力端子と出力端子を別々に設けている。入出力端子は、信号の入力と出力を兼ねているため、信号の入力と出力を同時には行えない。また、入力を受けたとき、サブＣＰＵ１１５においては、信号の入力処理、その信号が正しいかどうかの判断、その判断結果の出力という処理手順を少なくとも踏まなければならない。そのため、同時に入力と出力の信号を処理することが出来ず、更には処理手順が多くなり、一つの処理に時間がかかってしまう。また、入力と出力を同時に処理することが出来ないため、優先順位の高い信号を優先して処理を行う割り込み処理が出来ない。これらを改善するためには、処理時間を短縮するため、サブＣＰＵ１１４の性能を上げる必要が有り、製造コストが上がることになる。このため、サブＣＰＵ１１４はＣＥＣ入力端子３０５とＣＥＣ出力端子３０６をそれぞれ別々に設けている。
【００３５】
ＨＤＭＩ接続端子３０１は、ＨＤＭＩ規格に準拠した接続端子で有り、図示しない外部の電子機器と接続されており、外部に接続された電子機器がパワーオンしたことを表す信号を出力するホットプラグ端子３０２、外部に接続された電子機器を制御するためのＣＥＣ信号を出力し、また外部に接続された電子機器からのＣＥＣ信号を入力するためのＣＥＣ入出力端子３０３、およびＨＤＭＩ規格に準拠した映像／音声データを出力するための映像／音声データ出力端子３０４とを備えている。
【００３６】
前述のとおり、ＨＤＭＩ接続端子３０１におけるＣＥＣ入出力端子３０３は、入出力を兼用する端子であるのに対して、サブＣＰＵ１１５においては、ＣＥＣ信号に対する応答速度を速めるためや、割り込み処理を可能にするために、ＣＥＣ入力端子３０５とＣＥＣ出力端子３０６を有しており、このままではＣＥＣ信号の入出力が出来ない。このため、ＣＥＣ入出力端子３０３からのＣＥＣ入出力信号を分離するための入出力分離回路３１２をＨＤＭＩ信号処理集積回路１０４の内部に設けている。この入出力分離回路３１２の回路は、従来技術を表す図４の４０７と同等となっている。従来技術においては、入出力分離回路４０７において、４つのトランジスタと複数の抵抗およびコンデンサを個別に回路基板上で構成していた。入出力信号の分離を確実に行うためには、電子部品における電気特性のバラツキを考慮して設計を行う必要が有るが、従来技術のように電子部品の点数が多いと、電子部品それぞれのバラツキを考慮して部品の設定を行わなければならない。特に半導体素子であるトランジスタは、電流や温度によって特性が大きく変化するため、トランジスタ４つで構成する場合には、バラツキの小さな品質の高いランク品を選定する必要が有り、これは製造コストを増大させることになる。本発明においては、ＨＤＭＩ信号処理集積回路１０４の内部に、これらの電子部品を集積することで、複数の電子部品のバラツキを総合して品質管理を行うことが可能となり、入出力の分離精度も向上し、部品点数の削減および回路基板の縮小によって製造コストを抑えることが可能となる。
【００３７】
次に、スタンバイ状態からパワーオン状態に移行する動作を説明する。スタンバイ状態において、電源部１１４はスタンバイ電圧であるＥＶＥＲ３．３Ｖを生成しており、サブＣＰＵ１１５はＥＶＥＲ３．３Ｖを供給されて、電源部１１４にパワーオン電圧を生成させるためのパワーオン信号を出力できる状態にある。このスタンバイ状態において、外部に接続された電子機器がパワーオンしたとき、ＨＤＭＩ接続端子３０１のホットプラグ端子３０２には外部に接続された電子機器によって所定の電圧が出力される。外部に接続された電子機器がスタンバイ状態の時にはゼロＶ、パワーオン状態の時には５Ｖが出力される。ホットプラグ端子３０２に出力された５Ｖの電圧は、分圧抵抗Ｒ３０１とＲ３０２で分圧される。分圧された電圧は、トランジスタＴ３０１のベースに印加され、トランジスタＴ３０１のコレクタ−エミッタ間が導通する。トランジスタＴ３０２のベースには、ＥＶＥＲ３．３Ｖが電流制限抵抗Ｒ３０３を介して接続されてトランジスタＴ３０２のコレクタ−エミッタ間は導通しているが、ホットプラグ端子３０２の出力電圧でトランジスタＴ３０１が導通することによって、トランジスタＴ３０２のベース電位はほぼゼロとなり、
トランジスタＴ３０２のコレクタ−エミッタ間はオフする。
【００３８】
ＨＤＭＩ信号処理集積回路１０４の電源端子３１１とＥＶＥＲ３．３Ｖの間には、ＨＤＭＩ信号集積回路１０４に対してＥＶＥＲ３．３Ｖの供給をオンオフするスイッチ手段３１３が設けられている。スイッチ手段３１３は、トランジスタＴ３０３、バイアス抵抗Ｒ３０４および電流制限抵抗Ｒ３０５で構成されており、ホットプラグ端子３０２の出力電圧に従ってオンオフする。ホットプラグ端子３０２に電圧が出力されていないときには、トランジスタＴ３０２のベースにはＥＶＥＲ３．３Ｖが印加されているため、トランジスタＴ３０３のベース電位も３．３Ｖとなり、トランジスタＴ３０３のエミッタ−コレクタ間はオフしており、ＨＤＭＩ信号処理集積回路１０４の電源端子３１１にはＥＶＥＲ３．３Ｖは供給されていない。
【００３９】
ホットプラグ端子３０２に５Ｖの電圧が出力されて、トランジスタＴ３０１のコレクタ−エミッタ間が導通すると、トランジスタＴ３０１のコレクタ電位はほぼゼロとなり、トランジスタＴ３０３のベース電位もほぼゼロとなるため、トランジスタＴ３０３のエミッタ−コレクタ間が導通し、電源端子３１１にＥＶＥＲ３．３Ｖが供給される。
【００４０】
また、ＨＤＭＩ信号処理集積回路１０４のホットプラグ検出端子３０８には、ＥＶＥＲ３．３Ｖが電流制限抵抗Ｒ３０４を介して印加されているが、トランジスタＴ３０２のコレクタ−エミッタ間がオンしているときには、ホットプラグ検出端子３０８の電位はほぼゼロになっている。ホットプラグ端子３０２の出力電圧によって、Ｔ３０１がオンし、Ｔ３０２がオフすることによって、ホットプラグ検出端子３０８には、ＥＶＥＲ３．３Ｖが印加される。
【００４１】
このように、ＨＤＭＩ信号処理集積回路１０４は、ホットプラグ端子３０２の出力電圧によって、ＨＤＭＩ信号集積回路１０４が動作に必要となる電源電圧であるＥＶＥＲ３．３Ｖを供給され、また、外部に接続された電子機器がパワーオンしたことを検知することで、ＣＥＣによる動作制御がいつでも可能な準備状態に移行する。
【００４２】
また、ＨＤＭＩ接続端子３０１のＣＥＣ入出力端子３０３から、パワーオンを表すＣＥＣ信号が出力され、ＨＤＭＩ信号処理集積回路１０４のＣＥＣ入出力端子３１４に入力される。入力されたＣＥＣ信号は、ＨＤＭＩ信号処理集積回路１０４の内部に設けられた入出力分離回路３１２を介して、ＣＥＣ出力端子３１０からサブＣＰＵ１１５に出力される。サブＣＰＵ１１５は、ＨＤＭＩ信号処理集積回路１０４からのＣＥＣ信号をＣＥＣ入力端子３０５で受信し、電源部１１４に対してパワーオン信号を送出する。電源部１１４はサブＣＰＵ１１５からのパワーオン信号を受けて、スタンバイ電圧からパワーオン電圧に出力電圧を昇圧し、電子機器は、すべての動作が可能となるパワーオン状態に移行する。
【００４３】
このように、電源部が生成するスタンバイ電圧の出力ラインと信号処理部との間に接続されたスイッチ手段を備え、前記スイッチ手段は外部に接続された電子機器がパワーオンしたことを検知したときにのみ、信号処理部にスタンバイ電圧を供給するので、外部に接続された電子機器と相互に制御を行う場合のみ、信号処理部が動作を行なうように電力消費が制限され、電子機器の消費電力を抑制することが可能となり、かつ、スタンバイ状態においても外部に接続された電子機器からの制御信号に従ってパワーオン状態に常時移行可能となる。
【００４４】
また、従来技術においては、外部に接続された電子機器から受け取ったＣＥＣ信号をサブＣＰＵに入力し、サブＣＰＵが電源部にパワーオン電圧を生成し、このパワーオン電圧をＨＤＭＩ信号処理集積回路に供給していたため、外部に接続された電子機器からＣＥＣ信号が出力されてからＨＤＭＩ信号処理集積回路が動作するまでに時間を要していた。しか
し本発明においては、パワーオンしたことを検出するための検出端子からの出力信号によって、ＨＤＭＩ信号処理集積回路へ電力を供給するスイッチ手段を直接オンオフすることで、検出端子から信号が出力されてから、即座に信号処理部に電力を供給することが可能となる。また、従来では複数のトランジスタで構成していた制御信号の入出力分離回路を、信号処理集積回路の内部に集積することで、電子部品点数をでき、また、回路基板を小さく出来ることで製造コストを低減することが可能となる。また、従来技術における入出力分離回路においては、複数のトランジスタで構成していたため、トランジスタが有するバラツキもトランジスタの個数分存在し、個々のトランジスタのバラツキが相乗された場合には、入出力回路としての機能である分離機能が誤動作をおこす可能性も有る。これを回避するために、バラツキの小さい品質性能ランクの高いトランジスタを用いなければならず、コストを増大させていた。請求項１に記載の発明では、信号処理集積回路に入出力分離回路を集積することにより、電子機器を設計するに当たって、信号処理集積回路を有する半導体ＩＣの部品１点のバラツキのみを考慮して設計開発または管理すれば良いので、電子機器の開発期間を短縮し、かつ入出力信号を分離する精度を向上することが可能となり、制御信号を誤って判断することを低減することが可能となる。
【産業上の利用可能性】
【００４５】
本発明は、電子機器を相互に制御するための制御回路を有する電子機器に好適であり、特に制御回路への電力供給を制限して省電力化を実現する電子機器に好適である。
【図面の簡単な説明】
【００４６】
【図１】本発明に係る光ディスク再生装置とそれに接続されるテレビジョン受信装置のブロック図を表す。
【図２】本発明に係るＨＤＭＩ規格に準拠した接続端子であるＨＤＭＩ端子のピン配置およびそれぞれのピンの信号名を表す。
【図３】本発明に係る電子機器における主要ブロック図を表す。
【図４】従来技術におけるブロック図を示す。
【符号の説明】
【００４７】
１００  電子機器
１０４  信号集積回路
１１４  インターフェース
１１５  サブＣＰＵ
３０１  接続端子
３１２  入出力分離回路
３１３  スイッチ手段
【図１】
2009123284.tif 000003
【図２】
2009123284.tif 000004
【図３】
2009123284.tif 000005
【図４】
2009123284.tif 000006